(57)【特許請求の範囲】
【請求項１】
洗浄布を用いて、印刷機の回転可能な第１のドラムおよび第２のドラムを同時に洗浄する印刷機のドラム洗浄装置であって、
前記洗浄布を供給する洗浄布供給部と、
この洗浄布供給部から供給される前記洗浄布を巻取るように回転可能であるとともに、この洗浄布の巻取り方向と反対方向への回転が規制されている洗浄布巻取り部と、
前記洗浄布供給部から前記洗浄布巻取り部への前記洗浄布の巻取り経路に位置し、前記洗浄布供給部から供給された前記洗浄布の第１の面をこの洗浄布の巻取り方向と反対方向へと回転する前記第１のドラムに接触させて洗浄する第１の洗浄部と、
前記洗浄布供給部から前記洗浄布巻取り部への前記洗浄布の巻取り経路に位置し、前記第１の洗浄部を経て反転された前記洗浄布の第２の面をこの洗浄布の巻取り方向へと回転する前記第２のドラムに接触させて洗浄する第２の洗浄部と、
前記洗浄布供給部と前記第１の洗浄部との間に位置する前記洗浄布の第２の面と、前記第１の洗浄部と前記第２の洗浄部との間に位置する前記洗浄布の第２の面とを接触させることにより前記洗浄布に摩擦力を与えるブレーキ部と
を具備していることを特徴とする印刷機のドラム洗浄装置。
【請求項２】
前記ブレーキ部は、前記洗浄布供給部と前記第１の洗浄部との間に位置する前記洗浄布を押圧して、前記洗浄布供給部と前記第１の洗浄部との間に位置する前記洗浄布の第２の面と、前記第１の洗浄部と前記第２の洗浄部との間に位置する前記洗浄布の第２の面とを接触させる押圧部材を備えている
ことを特徴とする請求項１記載の印刷機のドラム洗浄装置。
【請求項３】
前記ブレーキ部は、前記第１の洗浄部と前記第２の洗浄部との間に位置する前記洗浄布を押圧して、前記洗浄布供給部と前記第１の洗浄部との間に位置する前記洗浄布の第２の面と、前記第１の洗浄部と前記第２の洗浄部との間に位置する前記洗浄布の第２の面とを接触させる押圧部材を備えている
ことを特徴とする請求項１記載の印刷機のドラム洗浄装置。
【発明の詳細な説明】
【技術分野】
【０００１】
本発明は、洗浄布を用いて印刷機の回転可能な第１のドラムおよび第２のドラムを同時に洗浄する印刷機のドラム洗浄装置に関する。
【背景技術】
【０００２】
従来、印刷機のドラム洗浄装置は、印刷機のブランケット胴、あるいは圧胴などのドラムの周面に対して洗浄液、あるいは水などの液体を含浸させた洗浄布を接触させ、これらドラムの回転により、ドラムに付着したインクあるいは紙粉などの汚れを取り除いている。
【０００３】
ドラム洗浄装置としては、１台で１つのドラムを洗浄できるようにしたものの他に、例えば印刷対象物の搬送経路に沿って上下に隣接して配置されている２つのドラムを１台で同時に洗浄できるようにしたものが知られている。このドラム洗浄装置では、例えば供給ロールから供給され巻取ロールへと巻取られる洗浄布をＳ字状、あるいはＺ字状などに掛け回す経路とすることにより、洗浄布の一面を前段の洗浄部により前段、例えば上側のドラムに圧接させて洗浄し、この前段のドラムとの接触部分を通過した洗浄布の反対側の一面を後段の洗浄部により後段、例えば下側のドラムに圧接させて洗浄することで、効果的に汚れを取り除くように構成されている（例えば、特許文献１参照。）。
【先行技術文献】
【特許文献】
【０００４】
【特許文献１】特開２０１０−１２０１８０号公報（第４−６頁、図１）
【発明の概要】
【発明が解決しようとする課題】
【０００５】
上述の印刷機のドラム洗浄装置のように印刷対象物の搬送経路に沿って上下に隣接する２つのドラムは印刷対象物の搬送方向へとそれぞれ同方向に回転するため、前段のドラムの回転方向と前段の洗浄部での洗浄布の巻取り方向とが逆方向である場合、後段のドラムの回転方向は後段の洗浄部での洗浄布の巻取り方向と同方向になる。前段のドラムについては、洗浄布を巻取り方向と反対方向へと引出す力が作用するものの、巻取りロールの巻取り軸に設けられたワンウェイクラッチによって巻取りロールの反転が阻止されるため、洗浄布が引出されることはない。しかしながら、後段のドラムについては、洗浄布を巻取り方向へと引出す力が作用するため、巻取りロールで洗浄布の引出しを阻止することは容易でない。
【０００６】
そして、このような力による洗浄布の引出しを防止するためには、後段の洗浄部を前段の洗浄部よりもドラムに対して弱く押し当てるように調整することが考えられるものの、洗浄効果は洗浄部のドラムへの押し圧に比例するため、この場合には後段のドラムの洗浄効果が前段と比較して相対的に低下することとなる。一方で、上述の印刷機のドラム洗浄装置のような構成の場合、後段の洗浄部は、前段のドラムを前段の洗浄部にて洗浄布の表面側で洗浄した後に洗浄布の裏側の面で洗浄するため、予め洗浄布に含浸させた液体の量が前段の洗浄部での洗浄時と比較すると低下するので、むしろ後段の洗浄部の押し圧を前段の洗浄部よりも強く調整する必要がある。
【０００７】
本発明は、このような点に鑑みなされたもので、いずれのドラムも確実に洗浄可能な印刷機のドラム洗浄装置を提供することを目的とする。
【課題を解決するための手段】
【０００８】
請求項１記載の印刷機のドラム洗浄装置は、洗浄布を用いて、印刷機の回転可能な第１のドラムおよび第２のドラムを同時に洗浄する印刷機のドラム洗浄装置であって、前記洗浄布を供給する洗浄布供給部と、この洗浄布供給部から供給される前記洗浄布を巻取るように回転可能であるとともに、この洗浄布の巻取り方向と反対方向への回転が規制されている洗浄布巻取り部と、前記洗浄布供給部から前記洗浄布巻取り部への前記洗浄布の巻取り経路に位置し、前記洗浄布供給部から供給された前記洗浄布の第１の面をこの洗浄布の巻取り方向と反対方向へと回転する前記第１のドラムに接触させて洗浄する第１の洗浄部と、前記洗浄布供給部から前記洗浄布巻取り部への前記洗浄布の巻取り経路に位置し、前記第１の洗浄部を経て反転された前記洗浄布の第２の面をこの洗浄布の巻取り方向へと回転する前記第２のドラムに接触させて洗浄する第２の洗浄部と、前記洗浄布供給部と前記第１の洗浄部との間に位置する前記洗浄布の第２の面と、前記第１の洗浄部と前記第２の洗浄部との間に位置する前記洗浄布の第２の面とを接触させることにより前記洗浄布に摩擦力を与えるブレーキ部とを具備しているものである。
【０００９】
請求項２記載の印刷機のドラム洗浄装置は、請求項１記載の印刷機のドラム洗浄装置において、前記ブレーキ部は、前記洗浄布供給部と前記第１の洗浄部との間に位置する前記洗浄布を押圧して、前記洗浄布供給部と前記第１の洗浄部との間に位置する前記洗浄布の第２の面と、前記第１の洗浄部と前記第２の洗浄部との間に位置する前記洗浄布の第２の面とを接触させる押圧部材を備えているものである。
【００１０】
請求項３記載の印刷機のドラム洗浄装置は、請求項１記載の印刷機のドラム洗浄装置において、前記ブレーキ部は、前記第１の洗浄部と前記第２の洗浄部との間に位置する前記洗浄布を押圧して、前記洗浄布供給部と前記第１の洗浄部との間に位置する前記洗浄布の第２の面と、前記第１の洗浄部と前記第２の洗浄部との間に位置する前記洗浄布の第２の面とを接触させる押圧部材を備えているものである。
【発明の効果】
【００１１】
請求項１記載の印刷機のドラム洗浄装置によれば、ブレーキ部が、洗浄布供給部と第１の洗浄部との間に位置する洗浄布の第２の面と、第１の洗浄部と第２の洗浄部との間に位置する洗浄布の第２の面とを接触させることにより洗浄布に摩擦力を与えることで、第１の洗浄部を経て反転された洗浄布の第２の面を第２の洗浄部にて洗浄布の巻取り方向へと回転する第２のドラムに接触させて洗浄する際に、第２の洗浄部での第２のドラムへの接触圧を低下させることなく洗浄布が巻取り方向へと引出されることをブレーキ部での摩擦力によって抑制できるので、第１の洗浄部および第２の洗浄部のそれぞれの洗浄効果を確保でき、いずれのドラムも確実に洗浄可能となる。
【００１２】
請求項２記載の印刷機のドラム洗浄装置によれば、請求項１記載の印刷機のドラム洗浄装置の効果に加えて、押圧部材によって洗浄布供給部と第１の洗浄部との間に位置する洗浄布を押圧して、洗浄布供給部と第１の洗浄部との間に位置する洗浄布の第２の面と、第１の洗浄部と第２の洗浄部との間に位置する洗浄布の第２の面とを接触させることで、洗浄布の第２の面同士を接触させて摩擦力を与える構成を容易に形成できる。
【００１３】
請求項３記載の印刷機のドラム洗浄装置によれば、請求項１記載の印刷機のドラム洗浄装置の効果に加えて、押圧部材によって第１の洗浄部と第２の洗浄部との間に位置する洗浄布を押圧して、洗浄布供給部と第１の洗浄部との間に位置する洗浄布の第２の面と、第１の洗浄部と第２の洗浄部との間に位置する洗浄布の第２の面とを接触させることで、洗浄布の第２の面同士を接触させて摩擦力を与える構成を容易に形成できる。
【図面の簡単な説明】
【００１４】
【図１】本発明の第１の実施の形態の印刷機のドラム洗浄装置を示す側面図であり、(a)はドラム洗浄時の洗浄布のドラムへの押圧状態を示し、(b)は洗浄布のドラムからの離反状態を示す。
【図２】本発明の第２の実施の形態の印刷機のドラム洗浄装置を示す側面図であり、(a)はドラム洗浄時の洗浄布のドラムへの押圧状態を示し、(b)は洗浄布のドラムからの離反状態を示す。
【発明を実施するための形態】
【００１５】
以下、本発明の第１の実施の形態の構成を、図面を参照して説明する。
【００１６】
図１において、印刷機は、第１のドラムとしての第１のブランケット胴11と、第２のドラムとしての第２のブランケット胴12とを備え、これらブランケット胴11，12が、巻取り紙などの印刷対象物Ａの搬送経路、すなわち上下方向に沿って互いに所定の距離を介して隣接して配置されている。これらブランケット胴11，12は、それぞれ図示しない版胴の外周面に巻き付けられた刷版に付着したインキを一旦転写するものであり、各版胴と逆方向に回転する。
【００１７】
そして、これら印刷機のブランケット胴11，12に対向する外側位置に、これらブランケット胴11，12を同時に洗浄するための１台のドラム洗浄装置21が配置されている。
【００１８】
このドラム洗浄装置21では、洗浄布22を用いてブランケット胴11，12を同時に洗浄する。洗浄布22は、例えば、ブランケット胴11，12の軸方向長さ寸法に対応した幅寸法を有する帯状の不織布であり、主面である一面の第１の面22aおよび他面である第２の面22bを有し、ロール状に巻回された洗浄布ロール23としてドラム洗浄装置21に配置されている。この洗浄布22には、例えば洗浄液あるいは水などの液体が予め含浸されている。
【００１９】
そして、このドラム洗浄装置21は、ブランケット胴11，12に対して進退する方向に移動可能となっている。なお、以下、ドラム洗浄装置21がブランケット胴11，12に対して進退する方向(図１中の左右方向)を便宜的に前後方向として説明する。
【００２０】
そして、ドラム洗浄装置21は、洗浄布ロール23が配置されて洗浄布22を供給する洗浄布供給部31、この洗浄布供給部31から供給される洗浄布22の第１の面22aを第１のブランケット胴11に接触させて洗浄する前段の洗浄部である第１の洗浄部32、この第１の洗浄部32を経て反転された洗浄布22の第２の面22bを第２のブランケット胴12に接触させて洗浄する後段の洗浄部である第２の洗浄部34、およびこの第２の洗浄部34を通過した洗浄布22を巻取る洗浄布巻取り部35を備え、これら洗浄布供給部31、第１の洗浄部32、第２の洗浄部34および洗浄布巻取り部35がフレーム36に取り付けられてユニット状に構成されている。したがって、第１の洗浄部32および第２の洗浄部34は、それぞれ洗浄布供給部31から洗浄布巻取り部35への洗浄布22の巻取り経路に位置している。また、このドラム洗浄装置21では、上側に配置されている第１のブランケット胴11に対応して、第１の洗浄部32がほぼ上向きに配置され、下側に配置されている第２のブランケット胴12に対応して、第２の洗浄部34がほぼ下向きに配置され、相互に反対向きに位置する第１の洗浄部32と第２の洗浄部34とを介して、洗浄布供給部31(洗浄布ロール23)から洗浄布巻取り部35へと、洗浄布22がＳ字状、あるいはＺ字状に掛け回されて、洗浄布22の第１の面22aと第２の面22bとが反転されるように構成されている。このため、洗浄布22は、洗浄布供給部31(洗浄布ロール23)と第１の洗浄部32との間の位置と、第１の洗浄部32と第２の洗浄部34との間の位置とで、第２の面22bが互いに対向しており、この第２の面22b，22bが互いに対向する位置において、ドラム洗浄装置21には、洗浄時の洗浄布供給部31(洗浄布ロール23)からの洗浄布22の巻取り方向への引出しを阻止するブレーキ部37が配置されている。
【００２１】
洗浄布巻取り部35は、第２の洗浄部34を通過した洗浄布22を巻取る巻取りロールであり、例えばワンウェイクラッチなどによって、洗浄布22の巻取り方向への回転のみが許容され、その反対方向への回転が規制されている。
【００２２】
また、フレーム36は、印刷機側に対して相対的に前後方向に移動可能に保持されている。
【００２３】
そして、ブレーキ部37は、洗浄布22を強制的に接触させて摩擦力を生じさせるものであり、印刷機側に固定される押圧部材54を備えている。
【００２４】
押圧部材54は、洗浄布供給部31(洗浄布ロール23)と第１の洗浄部32との間の位置の洗浄布22の第１の面22aを相対的に後方、すなわちブランケット胴11，12から離反する方向へと押圧可能となっている。そして、この押圧部材54の後部には、洗浄布供給部31から供給される洗浄布22の第１の面22a側が掛け回されて第１の洗浄部32へとガイドされている。
【００２５】
次に、上記第１の実施の形態の動作を説明する。
【００２６】
ドラム洗浄装置21は、準備段階での洗浄布装着時において、洗浄布ロール23から引出した洗浄布22の一端側を押圧部材54の後方を通して第１の洗浄部32に掛け回し、さらに第２の洗浄部34に掛け回した後、洗浄布巻取り部35に装着する。なお、洗浄布ロール23には予め例えば洗浄液や水などの液体が含浸されている。
【００２７】
次いで、ドラム洗浄装置21による洗浄動作時には、図１(b)に示す状態から図１(a)に示す状態へとドラム洗浄装置21をブランケット胴11，12に接近移動させ、第１の洗浄部32で洗浄布22の第１の面22aを第１のブランケット胴11に押圧接触させるとともに、第２の洗浄部34で洗浄布22の第２の面22bを第２のブランケット胴12に押圧接触させる。
【００２８】
このとき、ドラム洗浄装置21がブランケット胴11，12に接近移動すると、印刷機側に固定されるブレーキ部37の押圧部材54の位置がフレーム36に対して相対的に後方へと移動することとなり、洗浄布供給部31と第１の洗浄部32との間に位置する洗浄布22が押圧部材54によって相対的に後方へと押し下げられ、その第２の面22bが、後方に位置する第１の洗浄部32と第２の洗浄部34との間に位置する洗浄布22の第２の面22bに圧接されて所定の力で重なり合うことで、ブレーキ部37によって摩擦力が生じる。この摩擦力は、第２の洗浄部34での洗浄布22と第２のブランケット胴12との押圧接触により生じる摩擦力よりも大きく設定されている。
【００２９】
そして、ブランケット胴11，12は印刷対象物Ａの送り出し方向である図１(a)に示す時計回り方向にそれぞれ回転しているため、ブランケット胴11，12と洗浄布22の各面22a，22bとの相対的な移動によって、ブランケット胴11，12の汚れを例えば洗浄液や水などの液体が含浸されている洗浄布22の各面22a，22bで取除いてブランケット胴11，12を洗浄する。
【００３０】
このとき、第１の洗浄部32では、第１のブランケット胴11の回転方向が第１の洗浄部32における洗浄布22の巻取り方向と反対方向となっているため、洗浄布22が洗浄布巻取り部35からの引出し方向へと力が作用するものの、洗浄布巻取り部35は洗浄布22の巻取り方向と反対方向への回動が規制されているため、洗浄布22が洗浄布巻取り部35から引出されることはない。
【００３１】
一方、第２の洗浄部34では、第２のブランケット胴12の回転方向が第２の洗浄部34における洗浄布22の巻取り方向と同方向となっているため、洗浄布22が洗浄布巻取り部35への巻取り方向、すなわち洗浄布供給部31からの引出し方向へと力が作用するものの、ブレーキ部37により生じる摩擦力が第２の洗浄部34での洗浄布22と第２のブランケット胴12との押圧接触により生じる摩擦力を上回っていることで、洗浄布22の未使用部分が洗浄布供給部31の洗浄布ロール23から引出されることはない。
【００３２】
このように、ブレーキ部37が、洗浄布供給部31と第１の洗浄部32との間に位置する洗浄布22の第２の面22bと、第１の洗浄部32と第２の洗浄部34との間に位置する洗浄布22の第２の面22bとを接触させることで、第１の洗浄部32を経て反転された洗浄布22の第２の面22bを第２の洗浄部34にて洗浄布22の巻取り方向へと回転する第２のブランケット胴12に接触させて洗浄する際に、第２の洗浄部34での第２のブランケット胴12への接触圧を低下させることなく洗浄布22が巻取り方向へと引出されることをブレーキ部37での摩擦力によって抑制できる。第２の洗浄部34は、第１のブランケット胴11を第１の洗浄部32にて洗浄布22の第１の面22a側で洗浄した後に洗浄布22の第２の面22bで洗浄するために、予め洗浄布22に含浸させた液体の量が第１の洗浄部32での洗浄時と比較すると低下し、洗浄効果の確保が容易でないものの、上記ブレーキ部37によって、第２のブランケット胴12への接触圧を第１のブランケット胴11に対する第１の洗浄部32の接触圧よりも大きくしても洗浄布22が巻取り方向へと引出されることがないので、第２の洗浄部34においても、充分な洗浄効果を得ることができる。この結果、第１の洗浄部32および第２の洗浄部34のそれぞれの洗浄効果を確保でき、これらの洗浄効果に差がなくなるので、いずれのブランケット胴11，12も確実に洗浄可能となる。
【００３３】
具体的に、押圧部材54によって洗浄布供給部31と第１の洗浄部32との間に位置する洗浄布22を押圧して、洗浄布供給部31と第１の洗浄部32との間に位置する洗浄布22の第２の面22bと、第１の洗浄部32と第２の洗浄部34との間に位置する洗浄布22の第２の面22bとを接触させることで、押圧部材54によって洗浄布22の第２の面22b同士を接触させて摩擦力を与える構成を容易に形成できる。
【００３４】
なお、洗浄布巻取り部35が洗浄布22を巻取る際には、第１の洗浄部32から第２の洗浄部34へと移動する洗浄布22が洗浄布巻取り部35へと引っ張られることでブレーキ部37に位置する洗浄布22の屈曲部分が平面状になるように作用する力が押圧部材54を相対的に前方へと押し戻す反発力となることにより、ブレーキ部37での摩擦力から開放されるので、洗浄布巻取り部35へと自在に巻取りできる。
【００３５】
次に、第２の実施の形態を、図２を参照して説明する。なお、上記第１の実施の形態と同様の構成および作用については、同一符号を付してその説明を省略する。
【００３６】
この第２の実施の形態は、ブレーキ部37が、上記第１の実施の形態の押圧部材54に代えて、押圧部材61と、この押圧部材61を受ける受け部62とを備えるものである。
【００３７】
押圧部材61は、前後方向に移動可能となっている。また、この押圧部材61の前部には、突出部61aが突設されている。そして、この押圧部材61は、第１の洗浄部32と第２の洗浄部34との間の位置の洗浄布22の第１の面22a側を相対的に前方、すなわちブランケット胴11，12に接近する方向へと押圧可能となっている。
【００３８】
また、受け部62は、フレーム36に配置されており、洗浄布供給部31(洗浄布ロール23)と第１の洗浄部32との間で、かつ、押圧部材61の前方に対向して位置している。さらに、この受け部62の後部には、押圧部材61の突出部61aが挿入嵌合する挿入凹部62aが形成されている。
【００３９】
そして、ドラム洗浄装置21による洗浄動作時には、図２(b)に示す状態から図２(a)に示す状態へと、押圧部材61をブランケット胴11，12へと接近移動させる。
【００４０】
このとき、押圧部材61の突出部61aが第１の洗浄部32と第２の洗浄部34との間に位置する洗浄布22の第１の面22aを前方へと押し込む。この結果、受け部62の挿入凹部62aに押圧部材61の突出部61aが挿入嵌合することで、第１の洗浄部32と第２の洗浄部34との間に位置する洗浄布22の第２の面22bが、洗浄布供給部31と第１の洗浄部32との間に位置する洗浄布22の第２の面22bに圧接されて所定の力で重なり合うことにより、ブレーキ部37によって摩擦力が生じる。この摩擦力は、第２の洗浄部34での洗浄布22と第２のブランケット胴12との押圧接触により生じる摩擦力よりも大きく設定されている。この状態で、さらに押圧部材61を前進させて受け部62とともにフレーム36を前方へと移動させ、第１の洗浄部32で洗浄布22の第１の面22aを第１のブランケット胴11に押圧接触させるとともに、第２の洗浄部34で洗浄布22の第２の面22bを第２のブランケット胴12に押圧接触させる。
【００４１】
そして、ブランケット胴11，12は印刷対象物Ａの送り出し方向である図２(a)に示す時計回り方向にそれぞれ回転しているため、ブランケット胴11，12と洗浄布22の各面22a，22bとの相対的な移動によって、ブランケット胴11，12の汚れを例えば洗浄液や水などの液体が含浸されている洗浄布22の各面22a，22bで取除いてブランケット胴11，12を洗浄する。
【００４２】
このとき、第１の洗浄部32では、第１のブランケット胴11の回転方向が第１の洗浄部32における洗浄布22の巻取り方向と反対方向となっているため、洗浄布22が洗浄布巻取り部35からの引出し方向へと力が作用するものの、洗浄布巻取り部35は洗浄布22の巻取り方向と反対方向への回動が規制されているため、洗浄布22が洗浄布巻取り部35から引出されることはない。
【００４３】
一方、第２の洗浄部34では、第２のブランケット胴12の回転方向が第２の洗浄部34における洗浄布22の巻取り方向と同方向となっているため、洗浄布22が洗浄布巻取り部35への巻取り方向、すなわち洗浄布供給部31からの引出し方向へと力が作用するものの、ブレーキ部37により生じる摩擦力が第２の洗浄部34での洗浄布22と第２のブランケット胴12との押圧接触により生じる摩擦力を上回っていることで、洗浄布22の未使用部分が洗浄布供給部31の洗浄布ロール23から引出されることはない。
【００４４】
このように、押圧部材61によって第１の洗浄部32と第２の洗浄部34との間に位置する洗浄布22を押圧して、洗浄布供給部31と第１の洗浄部32との間に位置する洗浄布22の第２の面22bと、第１の洗浄部32と第２の洗浄部34との間に位置する洗浄布22の第２の面22bとを接触させることで、洗浄布22の第２の面22b同士を接触させて摩擦力を与える構成を容易に形成できる。
【００４５】
なお、洗浄布巻取り部35が洗浄布22を巻取る際には、押圧部材61を後方へと移動させることで、この押圧部材61が受け部62および洗浄布22の第１の面22aから離反するとともに、フレーム36と一体的に後退することにより、ドラム洗浄装置21がブランケット胴11，12から離反し、洗浄部32，34がブランケット胴11，12に対して非接触状態となり、洗浄布供給部31から第１の洗浄部32へと移動する洗浄布22が洗浄布巻取り部35へと引っ張られることでブレーキ部37に位置する洗浄布22の屈曲部分が平面状になるように作用する力が受け部62を前方へと押し戻す反発力となることにより、ブレーキ部37での摩擦力から開放されるので、洗浄布巻取り部35へと自在に巻取りできる。
【００４６】
なお、上記各実施の形態において、洗浄布巻取り部35の位置と洗浄布供給部31の位置とを逆とし、洗浄布22を逆方向に移動させても、同様の作用効果が得られる。すなわち、この場合には、下側のブランケット胴12を第１のドラムとし、上側のブランケット胴11を第２のドラムとすることで、上記各実施の形態と同様の作用効果を奏することができる。
【００４７】
また、第１のドラムと第２のドラムとしては、２つともブランケット胴11，12の場合に限らず、ブランケット胴と圧胴との場合などでもよい。
【符号の説明】
【００４８】
11    第１のドラムとしての第１のブランケット胴
12    第２のドラムとしての第２のブランケット胴
21    ドラム洗浄装置
22    洗浄布
22a   第１の面
22b   第２の面
31    洗浄布供給部
32    第１の洗浄部
34    第２の洗浄部
35    洗浄布巻取り部
37    ブレーキ部
54，61    押圧部材
【図１】
0005795216.tif 000002
【図２】
0005795216.tif 000003